(57)【要約】【課題】  本発明の目的は、手持式電動工具から排出される屑の集じんと、床に飛散した屑、粉じんの集じん作業のどちらの作業でも、その作業位置を離れることなく集じん機の起動・停止をできるようにして、作業能率のアップと作業環境の改善を図ることである。【解決手段】  使用する丸のこ５と集じん機４のそれぞれの電源コード８を別電源に接続し、信号を送信するリモコン送信器９をダクトホース７先端に着脱自在に係止させ、前記リモコン送信器９からの信号処理を行い駆動装置１７を介して集じん機４のモーター１の起動・停止の指示をするリモコン受信器１０を集じん機４のヘッド部１１適所に配置した。【選択図】  図１
2005102791.tif 000002
【特許請求の範囲】
【請求項１】
回転するモーターを配置し、該モーターにより回転する集じんファンと該集じんファンにより吸引されタンク内、または吐き出し側に接続されたダストバッグまで捕集、搬送するためのダクトホースを有する集じん機から切断、研削、切削等を行う手持ち形電動工具の屑排出口まで延長させたダクトホースを接続させて排出される屑を吸引したり、前記ダクトホース先端に延長管、床用吸口等を接続して床掃除等を行う集じん機において、信号を送信するハンディリモートコントロール送信器と該リモートコントロール送信器からの信号を受信し、駆動装置を介してモーターの起動・停止するリモートコントロール受信器を集じん機に内蔵させ、集じん機から延長したダクトホースの先端適所、あるいは該ダクトホース先端に接続する延長管等、またはその両方に前記リモートコントロール送信器を着脱自在に係止できるようにしたことを特徴とする集じん機。
【請求項２】
集じん機から延長したダクトホース先端適所、あるいは該ダクトホース先端に接続する延長管等、またはその両方に凹凸部を形成すると共に、前記リモートコントロール送信器の外装部に該凹凸部に係合可能な凹凸部を形成したことを特徴とする請求項１記載の集じん機。
【請求項３】
集じん機から延長したダクトホース先端適所、該ダクトホース先端に接続する延長管等、またはその両方に着脱できるようリモートコントロール送信器にゴムバンド等の弾性体を設けたことを特徴とする請求項１記載の集じん機。
【発明の詳細な説明】
【技術分野】
【０００１】
本発明は、手持ち形電動工具の屑排出口から集じん機まで延長したダクトホースを接続して排出される屑の集じんと、ダクトホース先端に延長管、床用吸口等を接続して床掃除等を行う兼用集じん機におけるリモートコントロール装置に関するものである。
【背景技術】
【０００２】
従来の集塵機を図８、図９を用いて説明する。
【０００３】
電動工具を使用する現場では、被削材の切断、研削、切削等を行う手持ち形電動工具から排出される屑、飛散する屑や粉じんが大量に発生する。よって建築現場での集じん機４は作業環境の面からも必需品となっている。上記した建築現場で発生する大量の屑、粉じんを効率良く集じんする集じん機４は以下の２種類の使用方法がある。
【０００４】
第一の使用方法は図８であり、矢印方向に向け被削材１２の切断作業をしている状態を示す。図示してないモーター、及び集じんファンを内蔵した集じん機４から手持ち形電動工具の一つである丸のこ５の切断粉排出口６までダクトホース７が接続されており、またそれぞれの電源コード８は元電源に接続してある。また起動・停止スイッチは、丸のこ５と集じん機４それぞれが有している。まず集じん機４の図示してない起動・停止用スイッチをＯＮさせ、モーター、集じんファンを介してダクトホース７内に吸引力を発生させる。
【０００５】
次に手持ち形電動工具の一つである丸のこ５の所まで作業者が移動して、起動・停止用スイッチをＯＮさせ丸のこ５を切断作業可能状態にする。次に丸のこ５を矢印方向に向け被削材１２の切断作業を開始すると、吸引力により丸のこ５の切断粉排出口６からダクトホース７を介して、集じん機４内部に切断による切断粉が搬送・集じんされる。
【０００６】
切断作業が終了すると丸のこ５の起動・停止用スイッチをＯＦＦさせ、作業者が移動して集じん機４の起動・停止用スイッチをＯＦＦさせる。ホース７の長さは作業内容により異なるが、一般的には５ｍ〜１０ｍが最も多い。よって上記作業によると、作業開始と終了毎に作業者が５ｍ〜１０ｍを往復することになる。また切断作業終了後、丸のこ５のみ起動・停止用スイッチをＯＦＦさせることでも良い。しかし集じん機４を連続運転しているのは騒音及び省エネルギーの観点からも好ましくない。
【０００７】
第二の使用方法は図９の方式である。図示してないモーター、及び集じんファンを内蔵した集じん機４から延長したダクトホース７の先端に延長管１３、床用吸口１４を接続している。電源コードは元電源に接続し、図示してない起動・停止用スイッチを有している。まず集じん機４の図示してない起動・停止用スイッチをＯＮさせ、モーター、集じんファンを介してダクトホース７内に吸引力を発生させる。次にダクトホース７の先端まで作業者が移動して、延長管１３を手で持ち先端の床用吸口１４を床面に沿って移動させることで、床のごみがダクトホース７を介して集じんタンク３内に搬送・集じんされる。
【０００８】
作業が終了すると、また作業者が集じん機４本体のところまで移動して、起動・停止用スイッチをＯＦＦさせる。この作業でも集じん機４、ダクトホース７は、第一の使用方法と共用するため、ダクトホース７の長さは５ｍ〜１０ｍである。よって起動・停止スイッチの操作の都度、延長管１３、床用吸口１４から集じん機４まで作業者が移動しなければならない。
【０００９】
上記したように建築現場で使用される集じん機４は、電動工具から排出される屑の直接集じんと、床に飛散した屑、粉じん集じんの２通りの使用方法を１日に数回繰り返し、いずれも作業位置と集じん機４本体間を作業者が移動する煩わしさがあった。
【発明の開示】
【発明が解決しようとする課題】
【００１０】
上記したように第一の方式は、起動・停止用スイッチの操作するたび５ｍ〜１０ｍ離れた手持ち形電動工具と集じん機間を往復しなければならず、作業能率が著しく低下していた。
【００１１】
第二の方式でも、第一の方式と同じダクトホース長さを使用するため、起動・停止用スイッチの操作するたび延長管、床用吸口と集じん機間を往復しなければならず、作業能率低下を招いていた。
【００１２】
本発明の目的は、上記した従来技術の欠点をなくし電動工具から排出される屑の集じんと、床に飛散した屑、粉じんの集じん作業のどちらの作業でも、その作業位置を離れることなく集じん機の起動・停止をできるようにして、作業能率のアップと作業環境の改善を図ることができる集塵機を提供することである。
【課題を解決するための手段】
【００１３】
上記目的は、信号を送信するリモートコントロール送信器（以下、リモコン送信器と言う）をダクトホース先端、あるいは該ダクトホース先端に接続する延長管等、またはその両方に着脱自在に係止させ、該リモコン送信器からの信号処理を行い駆動装置を介して集じん機のモーターの起動・停止の指示をするリモートコントロール受信器（以下、リモコン受信器と言う）を集じん機の適所に配置したことにより達成される。
【発明の効果】
【００１４】
本発明によれば、使用する電動工具と集じん機のそれぞれの電源コードを別電源に接続し、信号を送信するリモコン送信器をダクトホース先端、あるいはダクトホース先端に接続する延長管等、またはその両方に着脱自在に係止させ、リモコン送信器からの信号処理を行い駆動装置を介して集じん機のモーターの起動・停止の指示をするリモコン受信器を集じん機の適所に配置したため、集じん機から５ｍ〜１０ｍ延長したダクトホース先端に着脱自在に係止されたリモコン送信器を操作することで、集じん機のヘッド部に配置したリモコン受信器で信号を受信し駆動装置を介してモーターの起動・停止ができ、５ｍ〜１０ｍ間を往復する必要がないため大幅に作業能率のアップを図ることができる。床に飛散した屑、粉じんの集じんをする場合もダクトホース先端、あるいはダクトホース先端に接続する延長管等に、リモコン送信器を着脱自在に係止させたため、前記同様作業能率アップをはかることができる。また前記した２種類の作業方法を１日に数回繰り返すが、リモコン送信器を着脱自在に係止するようにしたため、リモコン送信器が１個で共用できる便利さも奏でることができる。さらにリモコン送信器にゴムバンド等の弾性体を固着することで、丸のこ近く、あるいは延長管等の好みの位置に係止できるため、使い勝手がさらに向上する。
【発明を実施するための最良の形態】
【００１５】
本発明集塵機の一実施形態を図１〜図７により説明する。
【００１６】
モーター１、集じんファン２及び集じんタンク３を内蔵した集じん機４から、手持ち形電動工具の一つである丸のこ５の切断粉排出部６まで、ダクトホース７が接続されている。それぞれの電源コード８は元電源に接続されている。信号を送信するリモコン送信器９を、ダクトホース７先端に着脱自在に係止させ、リモコン送信器９からの信号処理を行い、図示してない駆動装置１７を介して前記モーター１の起動・停止をするリモコン受信器１０を、ヘッド部１１に配置する。
【００１７】
上記構成において、図示してない丸のこ５のスイッチをＯＮすると、丸のこ５が起動する。丸のこ５の切断粉排出部６のダクトホース７先端に係止されたリモコン送信器９を操作すると、５ｍ〜１０ｍ離れた集じん機４のヘッド部１１に配置したリモコン受信器１０により、信号を受信し図示してない駆動装置１７を介して、モーター１、集じんファン２が回転して、ダクトホース７内に吸引力が発生する。
【００１８】
被削材１２上を矢印方向に向け丸のこ５を移動させ切断作業を開始すると、切断により発生した切断粉がダクトホース７内の吸引力により、集じん機４の集じんタンク３内に搬送される。この切断作業を繰り返し行い作業終了後、図示してないスイッチをＯＦＦして丸のこ５を停止させる。次に丸のこ５に接続されたダクトホース７先端に係止されたリモコン送信器９を操作し、５ｍ〜１０ｍ離れたリモコン受信器１０が信号を受信し、駆動装置１７を介して集じん機４のモーター１、集じんファン２が停止し、ダクトホース７内の吸引力がなくなる。上記したように丸のこ５の位置から、リモコン送信器９を操作することで、集じん機４の起動・停止をできるようにしたため、集じん機４の起動・停止の都度５ｍ〜１０ｍ往復する必要もなく、電動工具と接続して使用する集じん機４の作業能率の、大幅向上を図ることができると共に、丸のこ５の起動・停止に合わせ随時集じん機４の起動・停止できるため、騒音等の作業環境改善の効果も奏でることができる。
【００１９】
また床に飛散した屑、粉じんを集じんする場合、前記した集じん機４から延長したダクトホース７先端の延長管１３と床用吸口１４を接続し、リモコン送信器９を前記延長管１３に係止させる。リモコン送信器９は、ダクトホース７先端に係止させても良い。
【００２０】
上記構成において、延長管１３あるいは、ダクトホース７先端に係止されたリモコン送信器９を操作すると、離れた集じん機４のヘッド部１１に配置したリモコン受信器１０により、信号を受信し図示してない駆動装置１７を介してモーター１、集じんファン２が回転して、ダクトホース７内に吸引力が発生する。床に飛散した屑、粉じんを床用吸口１４で吸引し、集じんタンク３内に搬送される。この作業終了後、延長管１３あるいは、ダクトホース７先端に係止されたリモコン送信器９を操作すると、離れたリモコン受信器１０が信号を受信し駆動装置を介して集じん機４のモーター１、集じんファン２が停止しダクトホース７内の吸引力がなくなる。
【００２１】
電動工具と集じん機４を接続して使用する場合と同様、延長管１３、床用吸口１４からリモコン送信器９を操作することで、離れた集じん機４の起動・停止をできるようにしたため、集じん機４の起動・停止の都度５ｍ〜１０ｍ往復する必要もなく、作業能率の大幅向上を図ることができる
また集じん機４から延長したダクトホース７先端適所、あるいはダクトホース７先端に接続する延長管１３等、またはその両方に凹凸部１６を有するリモコン送信器９係止部１５を形成し、係止部１５の凹凸部１６に係合可能な凹凸部１６をリモコン送信器９の外装部に形成したため、集塵機を手持ち形電動工具と接続して使用する場合や、延長管１３、床用吸口１４を接続して使用する場合でも、簡単にリモコン送信器９の着脱ができるため、リモコン送信器９が１個で共用できる便利さがある。
【００２２】
またリモコン送信器９にゴムバンド１８等の弾性体を固着したことで、丸のこ５近く、あるいは延長管１３等の好みの位置に係止できるため、使い勝手がさらに向上する。
【図面の簡単な説明】
【００２３】
【図１】本発明集じん機の一使用状態を示す斜視図。
【図２】本発明集じん機の他の使用状態を示す斜視図。
【図３】集じん機の一部断面を含む正面図。
【図４】本発明集じん機を構成するリモコン送信器係止部の実施形態を示す要部拡大斜視図。
【図５】本発明集じん機を構成するリモコン送信器の他の実施形態を示す斜視図。
【図６】本発明集じん機のブロック図。
【図７】本発明集じん機を構成するリモコン送信器の一実施形態を示す正面図、側面図、底面図。
【図８】従来の集じん機の一使用状態を示す斜視図。
【図９】従来の集じん機の他の使用状態を示す斜視図。
【符号の説明】
【００２４】
１はモーター、２は集じんファン、３は集じんタンク、４は集じん機、６は屑排出口、７はダクトホース、９はリモコン送信器、１０はリモコン受信器、１３は延長管、１４は床用吸口、１５はリモコン送信器の収納部あるいは係止部、１６は凹凸形状、１７は駆動装置、１８はゴムバンドである。
【図１】
2005102791.tif 000003
【図２】
2005102791.tif 000004
【図３】
2005102791.tif 000005
【図４】
2005102791.tif 000006
【図５】
2005102791.tif 000007
【図６】
2005102791.tif 000008
【図７】
2005102791.tif 000009
【図８】
2005102791.tif 000010
【図９】
2005102791.tif 000011